(57)【要約】【課題】  使用済みの台紙が排出口から垂れ下がらないように、小さく切断したうえで纏めて捨てられるようにしたハンドラベラーを提供する。【解決手段】  ハンドラベラー本体の台紙排出口に、回転移送機構２４が台紙２およびラベル片３ａを送るのと同じピッチで台紙２を切断する台紙切断機構２５を設けるとともに、台紙排出口を覆って切断された台紙の拡散を防ぐ紙片容器２３を設ける。台紙切断機構２５は、回転移送機構２４から動力を得て回転駆動される回転刃２５Ｃを備えている。【選択図】        図３
2010195428.tif 000002
【特許請求の範囲】
【請求項１】
ラベル排出口および台紙排出口を有するハンドラベラー本体と、該ハンドラベラー本体から揺動可能に突出して取り付けられるレバーと、前記ハンドラベラー本体に内蔵され、前記レバーの把持操作に応じて所定ピッチで回転し、その外周に設けた移送突起をハンドラベラー用ラベルの台紙の移送切込線に係合させてラベルをラベル排出口側に移送する回転移送機構とを有するハンドラベラーにおいて、前記ハンドラベラー本体の台紙排出口には、前記回転移送機構がラベルを送るのと同じピッチで台紙を切断する台紙切断機構を設けるとともに、台紙排出口を覆って切断された台紙の拡散を防ぐ紙片容器を設けたことを特徴とするハンドラベラー。
【請求項２】
前記台紙切断機構は、回転移送機構から動力を得て回転駆動される回転刃を備えてなる請求項１に記載のハンドラベラー。
【発明の詳細な説明】
【技術分野】
【０００１】
本発明は、小売り流通業界等で、商品に値段や日付などを印字して貼付するのに用いて好適な携帯型ラベル印字貼付機（ハンドラベラー）に関する。
【背景技術】
【０００２】
ハンドラベラー用のラベルとしては、たとえば図４、図５に示すようなものがある。すなわち、ハンドラベラー用のラベル１は、表面に剥離剤が塗布された台紙２と、裏面に粘着剤が塗布されたラベル体３とからなり、台紙２の表面にラベル体３の裏面が粘着剤を介して仮着されて一体化されている。ラベル体３には、所定の間隔をおいて切れ目４が形成されている。ラベル体３は、それぞれの切れ目４により、価格や製造年月日等が印字される複数のラベル片３ａに分離されるようになっている。
【０００３】
台紙２の後述の各移送切込線６に対応する位置には、挿入案内部５が設けられている。これらの挿入案内部５は、Ｕ字形状に切り込まれた移送切込線５ａにより画成されたものである。一方、ラベル体３には、それぞれの切れ目４を跨ぐように２条の移送切込線６が形成されている。これらの２条の移送切込線６は、たとえば後述の移送突起１４の挿入抵抗の低減をもたらすために設けられたものである。
【０００４】
従来のハンドラベラーでは、たとえば図６に示すように、ハンドラベラー１０の保持部１１にラベル連続体１Ａを保持して、レバー１２の把持操作を行うと、これに応じて回転体１３が回転し、回転体１３の移送突起１４によって、ラベル体３がハンドラベラー１０の底部１５の排出口１６側に移送される。
【０００５】
すなわち、図７に示すように、回転体１３の移送突起１４が台紙２の挿入案内部５に係合し、レバー１２の把持操作に応じて回転体１３が反時計方向に所定ピッチで回転することで、ラベル１を上述した排出口１６側に移送する。このとき、図６の印字機構１７がラベル１側に移動し、上述したラベル片３ａへの印字を行う。
【０００６】
印字されたラベル片３ａは、排出口１６から排出された後、貼着ローラ１８により対象物に押し付けられ、さらにハンドラベラー１０が対象物から離されることで、ラベル体３のみに形成されている切れ目４により後続のラベル片３ａから分離される。
【０００７】
一方、ラベル片３ａが剥離された台紙２は、挿入案内部５に係合された回転体１３の移送突起１４により、排出口１６とは逆の方向に移送され、ラベル排出口１９から排出される。ここで、台紙２の挿入案内部５が台紙排出口１９に設けた簡易カッター（不図示）の位置と一致するように予め設計されており、小さな力でも台紙２を引きちぎって除去できるようになっている。
【先行技術文献】
【特許文献】
【０００８】
【特許文献１】特開２００４−２７９８４０号公報
【発明の概要】
【発明が解決しようとする課題】
【０００９】
ところで、ハンドラベラー１０を用いたラベルの貼り付け作業が進行するにつれて、台紙排出口１９から排出された台紙２が垂れ下がるようになる。作業者はある程度台紙２が溜まった時点で台紙２を簡易カッターで切り取り、捨てていた。
【００１０】
然るに、台紙２には巻き癖が付いているため、コイル状に丸まり易いという特性がある。  また、台紙２は折り曲げや引っ張りに強いグラシン紙やポリエチレンラミネート紙が使われており、引きちぎるのに簡易カッターと台紙２の挿入案内部５の位置が合わないと、台紙２を強く引っ張ってしまうことになる。
【００１１】
この場合、一時に沢山のラベル片３ａが排出口１６から押し出されてラベル詰まりを起こしてしまうという不都合が生じる。
【００１２】
さらに、台紙２はラベル片３ａが剥離し易いように、シリコン樹脂等がコーティングされており、故に帯電して埃を集め易く、食品等を扱う現場での使用には衛生面からの注意が必要であった。
【００１３】
さらに、不要となった台紙はそれ自体が滑り易く、嵩張るものであるため、床に落ちると転倒やスリップ事故の原因となり、使用後の取り扱いに注意が必要であった。
【００１４】
本発明は上述した従来の問題に鑑みなされたもので、本発明は、使用済みの台紙が排出口から垂れ下がらないように、小さく切断したうえで纏めて捨てられるようにしたハンドラベラーの提供を目的としている。
【課題を解決するための手段】
【００１５】
上記課題を解決するため、本発明が採用する構成の特徴は、ラベル排出口および台紙排出口を有するハンドラベラー本体と、該ハンドラベラー本体から揺動可能に突出して取り付けられるレバーと、前記ハンドラベラー本体に内蔵され、前記レバーの把持操作に応じて所定ピッチで回転し、その外周に設けた移送突起をハンドラベラー用ラベルの台紙の移送切込線に係合させてラベルをラベル排出口側に移送する回転移送機構とを有するハンドラベラーにおいて、前記ハンドラベラー本体の台紙排出口には、前記回転移送機構がラベルを送るのと同じピッチで台紙を切断する台紙切断機構を設けるとともに、台紙排出口を覆って切断された台紙の拡散を防ぐ紙片容器を設けたことにある。
【００１６】
この場合、前記台紙切断機構は、回転移送機構から動力を得て回転駆動される回転刃とすることができる。
【００１７】
上記構成によれば、ハンドラベラーを操作した際に台紙排出口から吐き出される台紙は、ラベル排出口から発行されるラベルと同じ長さ分ずつ切断されて紙片容器に蓄えられるので、台紙を切り取るのに手を使う必要がなくなる。
【００１８】
また、台紙切断機構は回転移送機構がラベルを送るのと同じピッチで台紙を切断するので、構造上ラベル詰まりを起こりにくくできる。
【発明の効果】
【００１９】
本発明によれば、ハンドラベラーを操作した際に台紙排出口から吐き出される台紙は、切断されて紙片容器に蓄えられるので、台紙を切り取るのに手を使う必要がなくなり、台紙切断機構は回転移送機構がラベルを送るのと同じピッチで台紙を切断するので、構造上ラベル詰まりを起こりにくくできるのとともに、使用済みの台紙が嵩張らず、作業現場等に散らばらないので衛生的であり、転倒やスリップ事故の予防になる。
【００２０】
また、台紙切断機構を、回転移送機構から動力を得て回転駆動される回転刃とすることにより、回転移送機構がラベルを送るのと同じピッチで台紙を切断でき、移送突起と回転刃とが干渉するのを予防できるという優れた効果を奏し得る。
【図面の簡単な説明】
【００２１】
【図１】本発明の実施の形態に係るハンドラベラーの外観図である。
【図２】図１中のハンドラベラーから紙片容器を取り外した状態を示す外観図である。
【図３】図１、図２中の要部を示す外観斜視図である。である。
【図４】従来の技術に係るハンドラベラー用ラベルを示す説明図である。
【図５】従来の技術に係るハンドラベラー用ラベルを示す説明図である。
【図６】従来の技術に係るハンドラベラーを示す説明図である。
【図７】図６中の要部拡大図である。
【発明を実施するための形態】
【００２２】
以下、本発明の実施の形態を図示例と共に説明する。なお、前述した従来技術と同一の構成要素には同一の符号を付し、その説明は省略する。
【００２３】
図１において、ハンドラベラー２０は、従来のハンドラベラー１０と同様に、ラベル排出口１６および台紙排出口２２を有するハンドラベラー本体２１と、ハンドラベラー本体２１から揺動可能に突出して取り付けられるレバー１２と、ハンドラベラー本体２１に内蔵され、レバー１２の把持操作に応じて所定ピッチで回転し、その外周に設けた移送突起２４Ｂをハンドラベラー用ラベルの台紙の移送切込線に係合させてラベルをラベル排出口側に移送する回転移送機構２４とを有する。
【００２４】
回転移送機構２４は、大略円筒状をなし、側面両端側の縁部分が一段高くなってギアが形成された噛合部２４Ａとなっている。
【００２５】
各噛合部２４Ａの中間部分は溝部２４Ｂとなり、この溝部２４Ｂにラベル体３が巻き付いて移送されるようになっている。
【００２６】
そして、溝部２４Ｂには円周方向に亘って等間隔で複数の移送突起２４Ｃが形成されている。
【００２７】
２５はハンドラベラー本体２１の台紙排出口２２側に設けられた台紙切断機構を示す。
該台紙切断機構２５は、前記回転移送機構２４とほぼ同様に、噛合部２５Ａと、溝部２５Ｂと、カッター刃２５Ｃとが形成された円筒状をしており、回転移送機構２４の噛合部２４Ａと台紙切断機構２５の噛合部２５Ａは噛み合いながら同時に回転するようになっている。このとき、移送突起２４Ｃとカッター刃２５Ｃが互いに干渉しないように、これらは同じピッチで形成され、かつ、位相をずらせて組み合わせてある。
【００２８】
これにより、台紙切断機構２５は前記回転移送機構２４がラベル体３を送るのと同じピッチで台紙２を切断することができる。
【００２９】
２３は、ハンドラベラー本体２１の台紙排出口２２を覆って切断された台紙２の拡散を防ぐ紙片容器であり、該紙片容器２３は中身が透けて見える透明プラスチック等の材料から形成され、紙片が溜まってハンドラベラー２０の内部機構の動作に障害をもたらす前に捨てる時期がわかるようになっている。
【００３０】
本実施の形態は以上の構成を有するものであり、ハンドラベラー２０を操作した際に台紙排出口２２から排出される台紙２は、フレーク状に切断されて紙片容器２３に溜まるので、台紙２を切り取るのに手を使う必要がなく、台紙切断機構２５は回転移送機構２４がラベル体３を送るのと同じピッチで台紙２を切断するから、ラベル詰まりを起こりにくくできる。  そして、使用済みの台紙が嵩張らず、作業現場等に散らばらないので衛生的であり、転倒やスリップ事故の予防になる。
【００３１】
また、回転移送機構２４がラベル体３を送るのと同じピッチで台紙２を切断でき、移送突起２４Ｃと回転刃２５Ｃとが干渉するのを予防できる。
【００３２】
尚、本発明のハンドラベラーは、上述の実施例にのみ限定されるものではなく、本発明の要旨を逸脱しない範囲内において種々変更を加え得ることは勿論である。
【符号の説明】
【００３３】
１２…レバー、１６…ラベル排出口、２１…ハンドラベラー本体、２２…台紙排出口、２４…回転移送機構、２４Ａ…噛合部、２４Ｂ…溝部、２４Ｃ…移送突起、２５…台紙切断機構、２５Ｂ…溝部、２５Ｃ…回転刃
【図１】
2010195428.tif 000003
【図２】
2010195428.tif 000004
【図３】
2010195428.tif 000005
【図４】
2010195428.tif 000006
【図５】
2010195428.tif 000007
【図６】
2010195428.tif 000008
【図７】
2010195428.tif 000009